(57)【特許請求の範囲】
【請求項１】
無線通信のための方法であって、
同時送信を受信するための複数の装置の各々のためのバックオフ値を決定することと、ここにおいて、前記複数のバックオフ値は、前記複数の装置の数に基づいて決定され、前記複数のバックオフ値は、前記複数の装置が、前記同時送信の受信後、送信前に待機するべき期間を示し、前記複数の装置の各々のためのバックオフ値を決定することは、前記複数の装置の数が所定の値よりも小さい場合、１と前記所定の値の間の数のランダムに分類されたアレイからユニークな値を前記複数の装置の各々へ割り当てることを備える、
前記決定された複数のバックオフ値を前記複数の装置へ送信することと
を備える、方法。
【請求項２】
前記バックオフ値は、前記複数の装置が、前記同時送信の受信後、トランスポート層アクノレッジメントを送信する前に待機するべき期間を示す、請求項１に記載の方法。
【請求項３】
前記所定の値は、最小コンテンション・ウインドウ・サイズを備える、請求項１に記載の方法。
【請求項４】
前記複数の装置の各々のためのバックオフ値を決定することは、
前記複数の装置の数が第２の値よりも大きい場合、前記複数の装置の数よりも大きい第１の値と１との間の数のランダムに分類されたアレイからユニークな値を前記複数の装置の各々へ割り当てることを備える、請求項１に記載の方法。
【請求項５】
前記第２の値は、最小コンテンション・ウインドウ・サイズを備える、請求項４に記載の方法。
【請求項６】
前記決定された複数のバックオフ値は、前記複数の装置へ、アクセスを要求するメッセージにおいて送信される、請求項１に記載の方法。
【請求項７】
前記決定された複数のバックオフ値は、集合物理層プロトコル・データ・ユニット（ＡＰＰＤＵ）フレームの１つ又は複数のヘッダ・フィールドにおいて送信される、請求項１に記載の方法。
【請求項８】
無線通信のための装置であって、
同時送信を受信するための複数の装置の各々のためのバックオフ値を決定するように構成された処理システムと、ここにおいて、前記複数のバックオフ値は、前記複数の装置の数に基づいて決定され、前記複数のバックオフ値は、前記複数の装置が、前記同時送信の受信後、送信前に待機するべき期間を示し、前記複数の装置の各々のためのバックオフ値を決定するように構成された処理システムは、前記複数の装置の数が所定の値よりも小さい場合、１と前記所定の値との間の数のランダムに分類されたアレイからユニークな値を前記複数の装置の各々へ割り当てるように構成された回路を備える、
前記決定された複数のバックオフ値を前記複数の装置へ送信するように構成された送信機と
を備える、装置。
【請求項９】
前記バックオフ値は、前記複数の装置が、前記同時送信の受信後、トランスポート層アクノレッジメントを送信する前に待機するべき期間を示す、請求項８に記載の装置。
【請求項１０】
前記所定の値は、最小コンテンション・ウインドウ・サイズを備える、請求項８に記載の装置。
【請求項１１】
前記複数の装置の各々のためのバックオフ値を決定するように構成された処理システムは、
前記複数の装置の数が第２の値よりも大きい場合、前記複数の装置の数よりも大きい第１の値と１との間の数のランダムに分類されたアレイからユニークな値を前記複数の装置の各々へ割り当てるように構成された回路を備える、請求項８に記載の装置。
【請求項１２】
前記第２の値は、最小コンテンション・ウインドウ・サイズを備える、請求項１１に記載の装置。
【請求項１３】
前記決定された複数のバックオフ値は、前記複数の装置へ、アクセスを要求するメッセージにおいて送信される、請求項８に記載の装置。
【請求項１４】
前記決定された複数のバックオフ値は、集合物理層プロトコル・データ・ユニット（ＡＰＰＤＵ）フレームの１つ又は複数のヘッダ・フィールドにおいて送信される、請求項８に記載の装置。
【請求項１５】
無線通信のための装置であって、
同時送信を受信するための複数の装置の各々のためのバックオフ値を決定する手段と、ここにおいて、前記複数のバックオフ値は、前記複数の装置の数に基づいて決定され、前記複数のバックオフ値は、前記複数の装置が、前記同時送信の受信後、送信前に待機するべき期間を示し、前記複数の装置の各々のためのバックオフ値を決定する手段は、前記複数の装置の数が所定の値よりも小さい場合、１と前記所定の数との間の数のランダムに分類されたアレイからユニークな数を前記複数の装置の各々へ割り当てる手段を備える、
前記決定された複数のバックオフ値を前記複数の装置へ送信する手段と
を備える、装置。
【請求項１６】
前記バックオフ値は、前記複数の装置が、同時送信の受信後、トランスポート層アクノレッジメントを送信する前に待機するべき期間を示す、請求項１５に記載の装置。
【請求項１７】
前記所定の数は、最小コンテンション・ウインドウ・サイズを備える、請求項１５に記載の装置。
【請求項１８】
前記複数の装置の各々のためのバックオフ値を決定する手段は、
前記複数の装置の数が第２の値よりも大きい場合、前記複数の装置の数よりも大きい第１の値と１との間の数のランダムに分類されたアレイからユニークな値を前記複数の装置の各々へ割り当てる手段を備える、請求項１５に記載の装置。
【請求項１９】
前記第２の値は、最小コンテンション・ウインドウ・サイズを備える、請求項１８に記載の装置。
【請求項２０】
前記決定された複数のバックオフ値は、前記複数の装置へ、アクセスを要求するメッセージにおいて送信される、請求項１５に記載の装置。
【請求項２１】
前記決定された複数のバックオフ値は、集合物理層プロトコル・データ・ユニット（ＡＰＰＤＵ）フレームの１つ又は複数のヘッダ・フィールドにおいて送信される、請求項１５に記載の装置。
【請求項２２】
無線通信のためのコンピュータ読取可能記憶媒体であって、
同時送信を受信するための複数の装置の各々のためのバックオフ値を決定し、ここにおいて、前記複数のバックオフ値は、前記複数の装置の数に基づいて決定され、前記複数のバックオフ値は、前記複数の装置が、前記同時送信の受信後、送信前に待機するべき期間を示し、前記複数の装置の各々のためのバックオフ値を決定することは、前記複数の装置の数が所定の値よりも小さい場合、１と前記所定の値の間の数のランダムに分類されたアレイからユニークな値を前記複数の装置の各々へ割り当てることを備える、
前記決定された複数のバックオフ値を前記複数の装置へ送信する
ように実行可能な命令を備える、コンピュータ読取可能記憶媒体。
【請求項２３】
少なくとも１つのアンテナと、
同時送信を受信するための複数の無線ノードの各々のためのバックオフ値を決定するように構成された処理システムと、ここにおいて、前記複数のバックオフ値は、前記複数の無線ノードの数に基づいて決定され、前記複数のバックオフ値は、前記複数の無線ノードが、前記同時送信の受信後、送信前に待機するべき期間を示し、前記複数の無線ノードの各々のためのバックオフ値を決定するように構成された処理システムは、前記複数の無線ノードの数が所定の値よりも小さい場合、１と前記所定の値との間の数のランダムに分類されたアレイからユニークな値を前記複数の無線ノードの各々へ割り当てるように構成された回路を備える、
前記少なくとも１つのアンテナを介して、前記決定された複数のバックオフ値を前記無線ノードへ送信するように構成された送信機と
を備える、アクセス・ポイント。
【請求項２４】
無線通信のための方法であって、
複数の装置のうちの１つの装置において、他の装置から前記複数の装置へ送信されたメッセージを受信することであって、前記メッセージは、複数のバックオフ値を備え、各バックオフ値が前記複数の装置のうちの１つに割り当てられ、前記複数のバックオフ値は、前記複数の装置の数が所定の値よりも小さい場合、１と前記所定の値の間の数のランダムに分類されたアレイからユニークな値を前記複数の装置の各々へ割り当てることによって決定される、受信することと、
前記装置に割り当てられたバックオフ値によって示された期間、送信を控えることと
を備える方法。
【請求項２５】
前記割り当てられたバックオフ値によって示された期間が経過した後、前記他の装置へトランスポート層アクノレッジメントを送信することを更に備える、請求項２４に記載の方法。
【請求項２６】
前記メッセージに応答して、前記他の装置へサウンディング情報を送信することと、
前記他の装置において受信されたサウンディング情報に応答して送信された、前記他の装置からのデータを受信することと、
前記受信したデータに応答して、前記他の装置へメディアアクセス制御（ＭＡＣ）レベル・アクノレッジメントを送信することと
を更に備える、請求項２４に記載の方法。
【請求項２７】
前記送信を控えることは、
前記ＭＡＣレベル・アクノレッジメントの送信後、送信を控えることを備える、請求項２６に記載の方法。
【請求項２８】
前記ＭＡＣレベル・アクノレッジメントは、ブロック・アクノレッジメントを備える、請求項２６に記載の方法。
【請求項２９】
前記ブロック・アクノレッジメントは、前記割り当てられたバックオフ値を備える、請求項２８に記載の方法。
【請求項３０】
前記メッセージは、前記複数の装置へアクセスするための要求メッセージ（ＲＭ）を備える、請求項２４に記載の方法。
【請求項３１】
前記メッセージは、集合物理層プロトコル・データ・ユニット（ＡＰＰＤＵ）メッセージを備える、請求項２４に記載の方法。
【請求項３２】
前記ＡＰＰＤＵメッセージのヘッダ・フィールドは、前記割り当てられたバックオフ値を備える、請求項３１に記載の方法。
【請求項３３】
各割り当てられたバックオフ値はユニークである、請求項２４に記載の方法。
【請求項３４】
無線通信のための装置であって、
複数の装置のうちの前記装置において、他の装置から前記複数の装置へ送信されたメッセージを受信するように構成された受信機であって、前記メッセージは、複数のバックオフ値を備え、各バックオフ値が前記複数の装置のうちの１つに割り当てられ、前記複数のバックオフ値は、前記複数の装置の数が所定の値よりも小さい場合、１と前記所定の値の間の数のランダムに分類されたアレイからユニークな値を前記複数の装置の各々へ割り当てることによって決定される、受信機と、
前記装置に割り当てられたバックオフ値によって示された期間、送信を控えるように構成された送信機と
を備える装置。
【請求項３５】
前記送信機はまた、前記割り当てられたバックオフ値によって示された期間が経過した後、前記他の装置へトランスポート層アクノレッジメントを送信するように構成される、請求項３４に記載の装置、
【請求項３６】
前記送信機はまた、前記メッセージに応答して、前記他の装置へサウンディング情報を送信するように構成され、
前記受信機はまた、前記他の装置において受信された前記サウンディング情報に応答して送信された、前記他の装置からのデータを受信するように構成され、
前記送信機はまた、前記受信されたデータに応答して、前記他の装置へメディアアクセス制御（ＭＡＣ）レベル・アクノレッジメントを送信するように構成される、請求項３４に記載の装置。
【請求項３７】
前記送信機はまた、前記ＭＡＣレベル・アクノレッジメントの送信後、送信を控えるように構成される、請求項３６に記載の装置。
【請求項３８】
前記ＭＡＣレベル・アクノレッジメントは、ブロック・アクノレッジメントを備える、請求項３６に記載の装置。
【請求項３９】
前記ブロック・アクノレッジメントは、前記割り当てられたバックオフ値を備える、請求項３８に記載の装置。
【請求項４０】
前記メッセージは、前記複数の装置へアクセスするための要求メッセージ（ＲＭ）を備える、請求項３４に記載の装置。
【請求項４１】
前記メッセージは、集合物理層プロトコル・データ・ユニット（ＡＰＰＤＵ）メッセージを備える、請求項３４に記載の装置。
【請求項４２】
前記ＡＰＰＤＵメッセージのヘッダ・フィールドは、前記割り当てられたバックオフ値を備える、請求項４１に記載の装置。
【請求項４３】
各割り当てられたバックオフ値はユニークである、請求項３４に記載の装置。
【請求項４４】
無線通信のための装置であって、
複数の装置のうちの前記装置において、他の装置から前記複数の装置へ送信されたメッセージを受信するための手段であって、前記メッセージは、複数のバックオフ値を備え、各バックオフ値が前記複数の装置のうちの１つに割り当てられ、前記複数のバックオフ値は、前記複数の装置の数が所定の値よりも小さい場合、１と前記所定の値の間の数のランダムに分類されたアレイからユニークな値を前記複数の装置の各々へ割り当てることによって決定される、受信するための手段と、
前記装置に割り当てられたバックオフ値によって示された期間、送信を控えるための手段と
を備える装置。
【請求項４５】
前記割り当てられたバックオフ値によって示された期間が経過した後、前記他の装置へトランスポート層アクノレッジメントを送信するための手段を更に備える、請求項４４に記載の装置。
【請求項４６】
前記メッセージに応答して、前記他の装置へサウンディング情報を送信するための手段と、
前記他の装置において受信された前記サウンディング情報に応答して送信された、前記他の装置からのデータを受信するように更に構成された前記受信するための手段と、
前記受信されたデータに応答して、前記他の装置へメディアアクセス制御（ＭＡＣ）レベル・アクノレッジメントを送信するように更に構成された前記送信するための手段と
を更に備える、請求項４４に記載の装置。
【請求項４７】
前記送信を控えるための手段は、
前記ＭＡＣレベル・アクノレッジメントの送信後、送信を控えるための手段を備える、請求項４６に記載の装置。
【請求項４８】
前記ＭＡＣレベル・アクノレッジメントは、ブロック・アクノレッジメントを備える、請求項４６に記載の装置。
【請求項４９】
前記ブロック・アクノレッジメントは、前記割り当てられたバックオフ値を備える、請求項４８に記載の装置。
【請求項５０】
前記メッセージは、前記複数の装置へアクセスするための要求メッセージ（ＲＭ）を備える、請求項４４に記載の装置。
【請求項５１】
前記メッセージは、集合物理層プロトコル・データ・ユニット（ＡＰＰＤＵ）メッセージを備える、請求項４４に記載の装置。
【請求項５２】
前記ＡＰＰＤＵメッセージのヘッダ・フィールドは、前記割り当てられたバックオフ値を備える、請求項５１に記載の装置。
【請求項５３】
各割り当てられたバックオフ値はユニークである、請求項４４に記載の装置。
【請求項５４】
無線通信のためのコンピュータ読取可能記憶媒体であって、
複数の装置のうちの１つの装置において、他の装置から前記複数の装置へ送信されたメッセージを受信し、前記メッセージは、複数のバックオフ値を備え、各バックオフ値が前記複数の装置のうちの１つに割り当てられ、前記複数のバックオフ値は、前記複数の装置の数が所定の値よりも小さい場合、１と前記所定の値の間の数のランダムに分類されたアレイからユニークな値を前記複数の装置の各々へ割り当てることによって決定され、
前記装置に割り当てられたバックオフ値によって示された期間、送信を控えるように実行可能な命令を備えるコンピュータ読取可能記憶媒体。
【請求項５５】
無線ノードであって、
少なくとも１つのアンテナと、
複数の無線ノードのうちの前記無線ノードにおいて前記少なくとも１つのアンテナを介して、アクセス・ポイントから前記複数の無線ノードへ送信されたメッセージを受信するように構成された受信機であって、前記メッセージは、複数のバックオフ値を備え、各バックオフ値が前記複数の無線ノードのうちの１つに割り当てられ、前記複数のバックオフ値は、前記複数の無線ノードの数が所定の値よりも小さい場合、１と前記所定の値の間の数のランダムに分類されたアレイからユニークな値を前記複数の無線ノードの各々へ割り当てることによって決定される、受信機と、
前記無線ノードに割り当てられたバックオフ値によって示された期間、送信を控えるように構成された送信機と
を備える、無線ノード。
【請求項５６】
無線通信のための方法であって、
同時送信を受信するための複数の装置の各々へ制御メッセージを送信することと、
前記複数の装置における前記制御メッセージの受信後に送信された、前記複数の装置の各々からのアクノレッジメント・メッセージを受信することと、
前記アクノレッジメント・メッセージに応答して、複数のバックオフ値を有するバックオフ・タイミング・メッセージを前記複数の装置へ送信することと
を備え、前記バックオフ値は、前記複数の装置が、前記同時送信の受信後、送信前に待機するべき期間を示す、方法。
【請求項５７】
前記バックオフ・タイミング・メッセージは、前記アクノレッジメント・メッセージの受信後、最短フレーム間隔（ＳＩＦＳ）持続期間、送信される、請求項５６に記載の方法。
【請求項５８】
前記制御メッセージを送信することは、
前記同時送信の各々において前記制御メッセージを送信することを備える、請求項５６に記載の方法。
【請求項５９】
前記制御メッセージは、前記複数の装置が通信メディアに関して競合すべきではないことを示すインジケーションを備える、請求項５６に記載の方法。
【請求項６０】
前記制御メッセージは、集合物理層プロトコル・データ・ユニット（ＡＰＰＤＵ）のヘッダ・フィールドにおいて送信される、請求項５６に記載の方法。
【請求項６１】
前記アクノレッジメント・メッセージは、メディアアクセス制御（ＭＡＣ）レベル・アクノレッジメントを備える、請求項５６に記載の方法。
【請求項６２】
前記バックオフ値は全て異なる、請求項５６に記載の方法。
【請求項６３】
無線通信のための装置であって、
同時送信を受信するための複数の装置の各々へ制御メッセージを送信するように構成された送信機と、
前記複数の装置における前記制御メッセージの受信後に送信された、前記複数の装置の各々からのアクノレッジメント・メッセージを受信するように構成された受信機と
を備え、前記送信機はまた、前記アクノレッジメント・メッセージに応答して、複数のバックオフ値を有するバックオフ・タイミング・メッセージを前記複数の装置へ送信するように構成され、前記バックオフ値は、前記複数の装置が、前記同時送信の受信後、送信前に待機するべき期間を示す、装置。
【請求項６４】
前記バックオフ・タイミング・メッセージは、前記アクノレッジメント・メッセージの受信後、最短フレーム間隔（ＳＩＦＳ）持続期間、送信される、請求項６３に記載の装置。
【請求項６５】
前記送信機はまた、前記同時送信の各々において前記制御メッセージを送信するように構成される、請求項６３に記載の装置。
【請求項６６】
前記制御メッセージは、前記複数の装置が通信メディアに関して競合すべきではないことを示すインジケーションを備える、請求項６３に記載の装置。
【請求項６７】
前記制御メッセージは、集合物理層プロトコル・データ・ユニット（ＡＰＰＤＵ）のヘッダ・フィールドにおいて送信される、請求項６３に記載の装置。
【請求項６８】
前記アクノレッジメント・メッセージは、メディアアクセス制御（ＭＡＣ）レベル・アクノレッジメントを備える、請求項６３に記載の装置。
【請求項６９】
前記バックオフ値は全て異なる、請求項６３に記載の装置。
【請求項７０】
無線通信のための装置であって、
同時送信を受信するための複数の装置の各々へ制御メッセージを送信するための手段と、
前記複数の装置における前記制御メッセージの受信後に送信された、前記複数の装置の各々からのアクノレッジメント・メッセージを受信するための手段と
を備え、前記送信するための手段は更に、前記アクノレッジメント・メッセージに応答して、複数のバックオフ値を有するバックオフ・タイミング・メッセージを送信するように構成され、前記バックオフ値は、前記複数の装置が、前記同時送信の受信後、送信前に待機するべき期間を示す、装置。
【請求項７１】
前記バックオフ・タイミング・メッセージは、前記アクノレッジメント・メッセージの受信後、最短フレーム間隔（ＳＩＦＳ）持続期間、送信される、請求項７０に記載の装置。
【請求項７２】
前記送信するための手段は更に、前記同時送信の各々において前記制御メッセージを送信するように構成される、請求項７０に記載の装置。
【請求項７３】
前記制御メッセージは、前記装置が通信メディアに関して競合すべきではないことを示すインジケーションを備える、請求項７０に記載の装置。
【請求項７４】
前記制御メッセージは、集合物理層プロトコル・データ・ユニット（ＡＰＰＤＵ）のヘッダ・フィールドにおいて送信される、請求項７０に記載の装置。
【請求項７５】
前記アクノレッジメント・メッセージは、メディアアクセス制御（ＭＡＣ）レベル・アクノレッジメントを備える、請求項７０に記載の装置。
【請求項７６】
前記バックオフ値は全て異なる、請求項７０に記載の装置。
【請求項７７】
無線通信のためのコンピュータ読取可能記憶媒体であって、
同時送信を受信するための複数の装置の各々へ制御メッセージを送信し、
前記複数の装置における前記制御メッセージの受信後に送信された、前記複数の装置の各々からのアクノレッジメント・メッセージを受信し、
前記アクノレッジメント・メッセージに応答して、複数のバックオフ値を有するバックオフ・タイミング・メッセージを前記複数の装置へ送信する
ように実行可能な命令を備え、前記バックオフ値は、前記複数の装置が、前記同時送信の受信後、送信前に待機するべき期間を示す、コンピュータ読取可能記憶媒体。
【請求項７８】
少なくとも１つのアンテナと、
前記少なくとも１つのアンテナを介して、同時送信を受信するための複数の無線ノードの各々へ制御メッセージを送信するように構成された送信機と、
前記複数の無線ノードにおける前記制御メッセージの受信後に送信された、前記複数の無線ノードの各々からのアクノレッジメント・メッセージを、前記少なくとも１つのアンテナを介して受信するように構成された受信機と
を備え、
前記送信機はまた、前記アクノレッジメント・メッセージに応答して、複数のバックオフ値を有するバックオフ・タイミング・メッセージを前記複数の無線ノードへ送信するように構成され、前記バックオフ値は、前記複数の無線ノードが、前記同時送信の受信後、送信前に待機するべき期間を示す、アクセス・ポイント。
【発明の詳細な説明】
【技術分野】
【０００１】
本開示のある態様は、一般に無線通信に関し、特に、同時ダウンリンク送信の完了後、ユーザ局に適用されるバックオフ手順に関する。
【背景技術】
【０００２】
送信制御プロトコル（ＴＣＰ）にしたがって、空間分割多元接続（ＳＤＭＡ）スキーム又は時分割多元接続（ＴＤＭＡ）スキームのいずれかを用いた複数のユーザ局（station）（ＳＴＡ）へのダウンリンク送信の完了後、ＳＴＡは一般に、アップリンクにおいてＴＣＰアクノレッジメントを送信することが必要である。しかし、各ＳＴＡが自身のバックオフ・カウントを個々に選択し、ブロック・アクノレッジメントの直後にポストバックオフを開始した場合、ポストバックオフ・コリジョン（post-backoff collisions）が発生する可能性が高い。
【０００３】
ダウンリンク・トランザクションを同時に受信した複数のユーザＳＴＡからのアップリンク送信中に発生するポストバックオフ・コリジョンの問題に対処するための方法が本開示において提案される。
【発明の概要】
【０００４】
ある態様は、無線通信のための方法を提供する。前記方法は一般に、同時送信を受信するための複数の装置の各々のためのバックオフ値を決定することと、決定された複数のバックオフ値を前記複数の装置へ送信することとを含み、複数のバックオフ値は、前記複数の装置の数に少なくとも部分的に基づいて決定され、複数のバックオフ値は、前記複数の装置が、同時送信の受信後、送信前に待機するべき期間を示す。
【０００５】
ある態様は、無線通信のための装置を提供する。前記装置は一般に、同時送信を受信するための複数の装置の各々のためのバックオフ値を決定するように構成された処理システムと、決定された複数のバックオフ値を前記複数の装置へ送信するように構成された送信機とを含み、複数のバックオフ値は、前記複数の装置の数に少なくとも部分的に基づいて決定され、複数のバックオフ値は、前記複数の装置が、同時送信の受信後、送信前に待機するべき期間を示す。
【０００６】
ある態様は、無線通信のための装置を提供する。前記装置は一般に、同時送信を受信するための複数の装置の各々のためのバックオフ値を決定するための手段と、決定された複数のバックオフ値を前記複数の装置へ送信するための手段とを含み、複数のバックオフ値は、前記複数の装置の数に少なくとも部分的に基づいて決定され、複数のバックオフ値は、前記複数の装置が、同時送信の受信後、送信前に待機するべき期間を示す。
【０００７】
ある態様は、無線通信のためのコンピュータ・プログラム製品を提供する。コンピュータ・プログラム製品は、同時送信を受信するための複数の装置の各々のためのバックオフ値を決定し、決定された複数のバックオフ値を前記複数の装置へ送信するように実行可能な命令を備えるコンピュータ読取可能媒体を含み、複数のバックオフ値は、前記複数の装置の数に少なくとも部分的に基づいて決定され、複数のバックオフ値は、前記複数の装置が、同時送信の受信後、送信前に待機するべき期間を示す。
【０００８】
ある態様は、アクセス・ポイントを提供する。アクセス・ポイントは一般に、少なくとも１つのアンテナと、同時送信を受信するための複数の無線ノードの各々のためのバックオフ値を決定するように構成された処理システムと、少なくとも１つのアンテナを介して決定された複数のバックオフ値を前記複数の無線ノードへ送信するように構成された送信機とを含み、複数のバックオフ値は、前記複数の無線ノードの数に少なくとも部分的に基づいて決定され、複数のバックオフ値は、前記複数の無線ノードが、同時送信の受信後、送信前に待機するべき期間を示す。
【０００９】
ある態様は、無線通信のための方法を提供する。前記方法は一般に、複数の装置のうちの１つの装置において、他の装置から前記複数の装置へ送信されたメッセージを受信することであって、前記メッセージは、複数のバックオフ値を備え、各バックオフ値が前記複数の装置のうちの１つに割り当てられる、受信することと、前記装置に割り当てられたバックオフ値によって示された期間、送信を控えることとを含む。
【００１０】
ある態様は、無線通信のための装置を提供する。前記装置は一般に、複数の装置のうちの１つの装置において、他の装置から前記複数の装置へ送信されたメッセージを受信するように構成された受信機であって、前記メッセージは、複数のバックオフ値を備え、各バックオフ値が前記複数の装置のうちの１つに割り当てられる、受信機と、前記装置に割り当てられたバックオフ値によって示された期間、送信を控えるように構成された送信機とを含む。
【００１１】
ある態様は、無線通信のための装置を提供する。装置は一般に、複数の装置のうちの１つの装置において、他の装置から前記複数の装置へ送信されたメッセージを受信するための手段であって、前記メッセージは、複数のバックオフ値を備え、各バックオフ値が前記複数の装置のうちの１つに割り当てられる、受信するための手段と、前記装置に割り当てられたバックオフ値によって示された期間、送信を控えるための手段とを含む。
【００１２】
ある態様は、無線通信のためのコンピュータ・プログラム製品を提供する。コンピュータ・プログラム製品は一般に、複数の装置のうちの１つの装置において、他の装置から前記複数の装置へ送信されたメッセージを受信し、前記メッセージは、複数のバックオフ値を備え、各バックオフ値が前記複数の装置のうちの１つに割り当てられ、前記装置に割り当てられたバックオフ値によって示された期間、送信を控えるように実行可能な命令を備えるコンピュータ読取可能媒体を含む。
【００１３】
ある態様は、無線ノードを提供する。前記無線ノードは一般に、少なくとも１つのアンテナと、アクセス・ポイントから複数の無線ノードへ送信されたメッセージを、前記複数の無線ノードのうちの前記無線ノードにおいて少なくとも１つのアンテナを介して受信するように構成された受信機であって、前記メッセージは、複数のバックオフ値を備え、各バックオフ値が前記複数の無線ノードのうちの１つに割り当てられる、受信機と、前記無線ノードに割り当てられたバックオフ値によって示された期間、送信を控えるように構成された送信機とを含む。
【００１４】
ある態様は、無線通信のための方法を提供する。前記方法は一般に、同時送信を受信するための複数の装置の各々へ制御メッセージを送信することと、前記複数の装置における制御メッセージの受信後に送信された、前記複数の装置の各々からのアクノレッジメント・メッセージを受信することと、アクノレッジメント・メッセージに応答して、複数のバックオフ値を有するバックオフ・タイミング・メッセージを前記複数の装置へ送信することとを含み、複数のバックオフ値は、前記複数の装置が、同時送信の受信後、送信前に待機するべき期間を示す。
【００１５】
ある態様は、無線通信のための装置を提供する。前記装置は一般に、同時送信を受信するための複数の装置の各々へ制御メッセージを送信するように構成された送信機と、前記複数の装置における制御メッセージの受信後に送信された、前記複数の装置の各々からのアクノレッジメント・メッセージを受信するように構成された受信機とを含み、送信機は更に、アクノレッジメント・メッセージに応答して、複数のバックオフ値を有するバックオフ・タイミング・メッセージを前記複数の装置へ送信するように構成され、複数のバックオフ値は、前記複数の装置が、同時送信の受信後、送信前に待機するべき期間を示す。
【００１６】
ある態様は、無線通信のための装置を提供する。前記装置は一般に、同時送信を受信するための複数の装置の各々へ制御メッセージを送信するための手段と、前記複数の装置における制御メッセージの受信後に送信された、前記複数の装置の各々からのアクノレッジメント・メッセージを受信するための手段とを含み、送信するための手段は更に、アクノレッジメント・メッセージに応答して、複数のバックオフ値を有するバックオフ・タイミング・メッセージを前記複数の装置へ送信するように構成され、複数のバックオフ値は、前記複数の装置が、同時送信の受信後、送信前に待機するべき期間を示す。
【００１７】
ある態様は、無線通信のためのコンピュータ・プログラム製品を提供する。コンピュータ・プログラム製品は、同時送信を受信するための複数の装置の各々へ制御メッセージを送信し、前記複数の装置における制御メッセージの受信後に送信された、前記複数の装置の各々からのアクノレッジメント・メッセージを受信し、アクノレッジメント・メッセージに応答して、複数のバックオフ値を有するバックオフ・タイミング・メッセージを前記複数の装置へ送信するように実行可能な命令を備えるコンピュータ読取可能媒体を含み、複数のバックオフ値は、前記複数の装置が、同時送信の受信後、送信前に待機するべき期間を示す。
【００１８】
ある態様は、アクセス・ポイントを提供する。アクセス・ポイントは一般に、少なくとも１つのアンテナと、少なくとも１つのアンテナを介して、同時送信を受信するための複数の無線ノードの各々へ制御メッセージを送信するように構成された送信機と、少なくとも１つのアンテナを介して、前記複数の無線ノードにおける制御メッセージの受信後に送信された、前記複数の無線ノードの各々からのアクノレッジメント・メッセージを受信するように構成された受信機とを含み、送信機はさらに、アクノレッジメント・メッセージに応答して、複数のバックオフ値を有するバックオフ・タイミング・メッセージを前記複数の無線ノードへ送信するようにも構成され、複数のバックオフ値は、前記複数の無線ノードが、同時送信の受信後、送信前に待機するべき期間を示す。
【図面の簡単な説明】
【００１９】
本開示の上記特徴を詳細に理解することができるように、上記で簡単に概略された説明のより具体的な説明が態様に言及することによって記載され、それらの態様のうちのいくつかは添付図面に示される。しかし、添付図面は、本開示のある典型的な態様しか示さず、本説明は、他の等しく効果的な態様を認めるので、添付図面は本開示の範囲を制限するように解釈されないことを留意されたい。
【図１】図１は、本開示のある態様に従って、１つのアクセス・ポイント及び複数のマルチアンテナ・ユーザ端末を有する複数入力複数出力（ＭＩＭＯ）システムを示す。
【図２】図２は、本開示のある態様に従って、アクセス・ポイント及び複数のユーザ端末のブロック図を示す。
【図３】図３は、本開示のある態様に従って、無線デバイスにおいて用いられうる様々な構成要素を示す。
【図４】図４は、本開示のある態様に従って、異なるコンテンション・ウインドウ・サイズに関して、ユーザ局（ＳＴＡ）の数に対するポストバックオフ・コリジョンの確率を示す。
【図５】図５は、本開示のある態様に従って、ＳＴＡへ送信される要求メッセージ（ＲＭ）のフォーマットの例を示す。
【図６】図６は、本開示のある態様に従って、アクセス・ポイント（ＡＰ）とＳＴＡとの間の通信の例を示す。
【図７】図７は、本開示のある態様に従って、同時ダウンリンク送信を受信する複数のＳＴＡの各々のためのバックオフ値を決定するためにＡＰによって実行されうる動作の例を示す。
【図７Ａ】図７Ａは、図７に示す動作を実行することができる構成要素の例を示す。
【図８】図８は、本開示のある態様に従って、バックオフ値によって示された期間、アップリンク送信を控えるために、複数のＳＴＡのうちの１つのＳＴＡにおいて実行されうる動作の例を示す。
【図８Ａ】図８Ａは、図８に示す動作を実行することができる構成要素の例を示す。
【図９】図９は、本開示のある態様に従って、同時送信を受信する複数のＳＴＡの各々のためのバックオフ値を決定するためにＡＰによって実行されうる動作の例を示す。
【図９Ａ】図９Ａは、図９に示す動作を実行することができる構成要素の例を示す。
【詳細な説明】
【００２０】
本開示の様々な態様が、添付図面を参照して以下でより詳しく説明される。しかし本開示は、多数の異なる形式で具現化されることができ、本開示を通して提示された任意の特定の構成又は機能に限定されるように解釈されてはならない。これらの態様は、本開示が詳細かつ完全となり、当業者に本開示の範囲を完全に伝達するように提供される。本明細書の教示に基づいて、当業者は、本開示の範囲が、本開示の他の任意の態様と組み合わされるか独立して実現されるかに関わらず、本明細書に開示された開示のあらゆる態様をカバーするように意図されていることを理解するべきである。例えば、本明細書に記載された態様のうちの任意の数の態様を用いて、装置が実装されうる又は方法が実行されうる。更に、本開示の範囲は、本明細書に記載された開示の様々な態様に加え、又はそれらとは別に、他の構成、機能、あるいは構成及び機能を用いて実施されるような装置又は方法をカバーすることが意図されている。本明細書に開示された開示の任意の態様は、特許請求の範囲の１つ又は複数の要素によって具現化されうることが理解されるべきである。
【００２１】
本明細書において、「典型的な（exemplary）」という用語は、「例、実例、又は例証を提供する」という意味で用いられる。本明細書において「典型的」として説明された任意の態様は、必ずしも他の態様に対して好適又は有利であるとは解釈されない。
【００２２】
本明細書において特定の態様が説明されるが、それらの態様の多数の変形及び置換が本開示の範囲内に含まれる。好適な態様のいくつかの利益及び利点が言及されるが、本開示の範囲は、特定の利益、用途、又は目的に限定されることは意図されていない。本開示の態様は、好適な態様の以下説明及び図面において一例としてそのいくつかが示された様々な無線技術、システム構成、ネットワーク、及び送信プロトコルに幅広く適用可能であることが意図されている。詳細な説明及び図面は、特許請求の範囲及びそれらの均等物によって定められている本開示の範囲を限定するものではなく、本開示の単なる例示にすぎない。
【００２３】
（無線通信システムの例）
本明細書で説明された技術は、直交多重化スキームに基づく通信システムを含む様々な広帯域無線通信システムのために用いることができる。そのような通信システムの例は、空間分割多元接続（ＳＤＭＡ）システム、時分割多元接続（ＴＤＭＡ）システム、直交周波数分割多元接続（ＯＦＤＭＡ）システム、シングルキャリア周波数分割多元接続（ＳＣ−ＦＤＭＡ）システム等を含む。ＳＤＭＡシステムは、複数のユーザ端末に属するデータを同時に送信するために十分に様々な方向を用いることができる。ＴＤＭＡシステムは、異なるタイムスロットに送信信号を分割することによって、複数のユーザ端末が同一の周波数チャネルを共有することを可能にすることができ、各タイムスロットは異なるユーザ端末に割り当てられる。ＯＦＤＭＡシステムは、システム帯域幅全体を複数の直交サブキャリアに分割する変調技術である直交周波数分割多重（ＯＦＤＭ）を用いる。これらのサブキャリアは、トーン、ビン等とも称されうる。ＯＦＤＭの場合、各サブキャリアは、データを用いて独立して変調されうる。ＳＣ−ＦＤＭＡシステムは、システム帯域幅にわたって分布されているサブキャリアにおいて送信するためにインタリーブされたＦＤＭＡ（interleaved FDMA）（ＩＦＤＭＡ）を用い、隣接するサブキャリアのブロックにおいて送信するためにローカル化されたＦＤＭＡ（localized FDMA）（ＬＦＤＭＡ）を用い、隣接するサブキャリアの複数のブロックにおいて送信するために強化されたＦＤＭＡ（enhanced FDMA）（ＥＦＤＭＡ）を用いることができる。一般に、変調シンボルは、周波数領域においてＯＦＤＭを用いて送信され、時間領域においてＳＣ−ＦＤＭＡを用いて送信される。
【００２４】
本明細書の教示は、様々な有線又は無線の装置（例えば、ノード）に組み込まれる（例えば、その装置に実装される又はその装置によって実行される）ことができる。いくつかの態様において、本明細書の教示に従って実現された無線ノードは、アクセス・ポイント又はアクセス端末を備えることができる。
【００２５】
アクセス・ポイント（「ＡＰ」）は、ノードＢ、無線ネットワーク制御装置（「ＲＮＣ」）、ｅノードＢ、基地局制御装置（「ＢＴＣ」）、トランシーバ基地局（「ＢＴＳ」）、基地局（「ＢＳ」）、トランシーバ機能（「ＴＦ」）、無線ルータ、無線トランシーバ、基本サービス・セット（「ＢＳＳ」）、拡大サービス・セット（「ＥＳＳ」）、無線基地局（「ＲＢＳ」）、又は他の何らかの用語として周知である、又はそれらとして実現される、又はそれらを備えることができる。
【００２６】
アクセス端末（「ＡＴ」）は、アクセス端末、加入者局、加入者ユニット、モバイル局、遠隔局、遠隔端末、ユーザ端末、ユーザ・エージェント、ユーザ・デバイス、ユーザ機器、ユーザ局、又は他の何らかの用語として周知である、又はそれらとして実現される、又はそれらを備えることができる。いくつかの実施形態において、アクセス端末は、セルラ電話、コードレス電話、セッション開始プロトコル（「ＳＩＰ」）電話、無線ローカル・ループ（「ＷＬＬ」）局、パーソナル・デジタル・アシスタント（「ＰＤＡ」）、無線接続機能を有するハンドヘルド・デバイス、局（Station）（「ＳＴＡ」）、又は無線モデムに接続された他の何らかの適切な処理デバイスを備えることができる。従って、本明細書において教示された１つ又は複数の態様は、電話（例えば、セルラ電話又はスマート・フォン）、コンピュータ（例えば、ラップトップ）、ポータブル通信デバイス、ポータブル・コンピュータ・デバイス（例えば、パーソナル・データ・アシスタント）、娯楽デバイス（例えば、音楽デバイス、ビデオ・デバイス、又は衛星ラジオ）、グローバル・ポジショニング・システム・デバイス、又は、無線あるいは有線の媒体を介して通信するように構成された他の任意の適切なデバイスに組み込まれうる。いくつかの態様において、ノードは無線ノードである。そのような無線ノードは、例えば、有線又は無線の通信リンクを介して、ネットワーク（例えば、インターネット・ネットワーク又はセルラ・ネットワークのような広域ネットワーク）への接続又はネットワークのための接続を提供することができる。
【００２７】
図１は、アクセス・ポイント及びユーザ端末を有する複数入力複数出力（ＭＩＭＯ）システム１００を示す。簡略化のために、図１には１つのアクセス・ポイント１１０しか示されない。アクセス・ポイントは一般に、複数のユーザ端末と通信する固定局であり、基地局又は他の何らかの用語として称されることもある。ユーザ端末は固定式又はモバイル式であることができ、モバイル局、無線デバイス、又は他の何らかの用語として称されることもある。アクセス・ポイント１１０は、任意の所与の瞬間に、ダウンリンク及びアップリンクにおいて１つ又は複数のユーザ端末１２０と通信することができる。ダウンリンク（すなわち、順方向リンク）は、アクセス・ポイントからユーザ端末への通信リンクであり、アップリンク（すなわち、逆方向リンク）は、ユーザ端末からアクセス・ポイントへの通信リンクである。ユーザ端末は、別のユーザ端末とピアツーピアで通信することもできる。システム制御装置１３０は、アクセス・ポイントに結合し、アクセス・ポイントのための調整及び制御を提供する。
【００２８】
以下の説明の一部は、空間分割多元接続（ＳＤＭＡ）又は時分割多元接続（ＴＤＭＡ）を介して通信することができるユーザ端末１２０を説明するが、ある態様の場合、ユーザ端末１２０は、ＳＤＭＡ／ＴＤＭＡをサポートしないいくつかのユーザ端末を含むこともできる。従って、そのような態様の場合、ＡＰ１１０は、ＳＤＭＡ／ＴＤＭＡユーザ端末と非ＳＤＭＡ／ＴＤＭＡユーザ端末との両方と通信するように構成されうる。このアプローチは、新たなＳＤＭＡ／ＴＤＭＡユーザ端末が適用可能であるように導入しつつ、旧バージョンのユーザ端末（「レガシ」局）を企業においてそれらが役立つ耐用期間を延長してそのまま用いることを便宜上可能にする。
【００２９】
システム１００は、ダウンリンク及びアップリンクにおけるデータ送信のための複数送信及び複数受信アンテナを用いる。アクセス・ポイント１１０は、Ｎａｐ個のアンテナを備え、ダウンリンク送信のための複数入力（ＭＩ）及びアップリンク送信のための複数出力（ＭＯ）を表す。Ｋ個の選択されたユーザ端末１２０のセットは集合的に、ダウンリンク送信のための複数出力及びアップリンク送信のための複数入力を表す。純粋のＳＤＭＡの場合、Ｋ個のユーザ端末のためのデータ・シンボル・ストリームが、符号、周波数、又は時間において何らかの手段によって多重化されない場合、Ｎａｐ≧Ｋ≧１であることが望ましい。データ・シンボル・ストリームが、ＴＤＭＡ技術、ＣＤＭＡの場合異なる符合チャネル、ＯＦＤＭの場合サブバンドの互いに素なセット等を、用いて多重化されることができる場合、ＫはＮａｐよりも大きくなりうる。各選択されたユーザ端末は、アクセス・ポイントへユーザ指定データを送信する、及び／又は、アクセス・ポイントからのユーザ指定データを受信する。一般に、各選択されたユーザ端末は、１つ又は複数のアンテナ（すなわち、Ｎｕｔ≧１）を備えることができる。Ｋ個の選択されたユーザ端末は、同一の数又は異なる数のアンテナを有することができる。
【００３０】
ＳＤＭＡシステム１００は、時分割複信（ＴＤＤ）システム又は周波数分割複信（ＦＤＤ）システムであることができる。ＴＤＤシステムの場合、ダウンリンク及びアップリンクは、同一の周波数帯域を共有する。ＦＤＤシステムの場合、ダウンリンク及びアップリンクは、異なる周波数帯域を用いる。ＭＩＭＯシステム１００は、送信のために単一の搬送波又は複数の搬送波を用いることもできる。各ユーザ端末は、（例えば、コスト削減のために）単一のアンテナ又は（例えば、追加のコストがサポートされうる場合）複数のアンテナを備えることができる。ユーザ端末１２０が、異なるタイムスロットに送信／受信を分割することによって同一の周波数チャネルを共有し、各タイムスロットが異なるユーザ端末１２０に割り当てられている場合、システム１００はＴＤＭＡシステムであることもできる。
【００３１】
図２は、ＭＩＭＯシステム１００内のアクセス・ポイント１１０及び２つのユーザ端末１２０ｍ及び１２０ｘのブロック図を示す。アクセス・ポイント１１０は、Ｎｔ個のアンテナ２２４ａ乃至２２４ｔを備える。ユーザ端末１２０ｍは、Ｎｕｔ，ｍ個のアンテナ２５２ｍａ乃至２５２ｍｕを備え、ユーザ端末１２０ｘは、Ｎｕｔ，ｘ個のアンテナ２５２ｘａ乃至２５２ｘｕを備える。アクセス・ポイント１１０は、ダウンリンクのための送信エンティティかつアップリンクのための受信エンティティである。各ユーザ端末１２０は、アップリンクのための送信エンティティかつダウンリンクのための受信エンティティである。本明細書において用いられる場合、「送信エンティティ」は、無線チャネルを介してデータを送信することができる独立して動作する装置又はデバイスであり、「受信エンティティ」は、無線チャネルを介してデータを受信することができる独立して動作する装置又はデバイスである。以下の説明において、下付き文字「ｄｎ」はダウンリンクを示し、下付き文字「ｕｐ」はアップリンクを示し、Ｎｕｐ個のユーザ端末がアップリンクにおける同時送信のために選択され、Ｎｄｎ個のユーザ端末がダウンリンクにおける同時送信のために選択され、ＮｕｐはＮｄｎと等しいことも等しくないこともあり、Ｎｕｐ及びＮｄｎは、固定値であることも各スケジューリング間隔について変化することもできる。ビームステアリング又は他の何らかの空間処理技術が、アクセス・ポイント及びユーザ端末において用いられうる。
【００３２】
アップリンク上で、アップリンク送信のために選択された各ユーザ端末１２０において、ＴＸデータ・プロセッサ２８８は、データ・ソース（data source）２８６からのトラヒック・データ及び制御装置２８０からの制御データを受信する。ＴＸデータ・プロセッサ２８８は、ユーザ端末のために選択されたレートに関連付けられたコード化及び変調スキームに基づいて、ユーザ端末のためのトラヒック・データを処理（例えば、符号化、インタリーブ、及び変調）し、データ・シンボル・ストリームを提供する。ＴＸ空間プロセッサ２９０は、データ・シンボル・ストリームに空間処理を実行し、Ｎｕｔ，ｍ個のアンテナのためのＮｕｔ，ｍ個の送信シンボル・ストリームを提供する。各送信機ユニット（ＴＭＴＲ）２５４は、それぞれの送信シンボル・ストリームを受信及び処理（例えば、アナログ変換、増幅、フィルタ、及び周波数アップコンバート）し、アップリンク信号を生成する。Ｎｕｔ，ｍ個の送信機ユニット２５４は、Ｎｕｔ，ｍ個のアンテナ２５２からアクセス・ポイントへの送信のためのＮｕｔ，ｍ個のアップリンク信号を提供する。
【００３３】
Ｎｕｐ個のユーザ端末は、アップリンクにおける同時送信のためにスケジュールされうる。これらのユーザ端末の各々は、自身のデータ・シンボル・ストリームに空間処理を実行し、自身の送信シンボル・ストリームのセットをアップリンクにおいてアクセス・ポイントへ送信する。
【００３４】
アクセス・ポイント１１０において、Ｎａｐ個のアンテナ２２４ａ乃至２２４ａｐは、アップリンクにおいて送信するＮｕｐ個のユーザ端末全てからのアップリンク信号を受信する。各アンテナ２２４は、それぞれの受信機ユニット（ＲＣＶＲ）２２２へ受信信号を提供する。各受信機ユニット２２２は、送信機ユニット２５４によって実行された処理と相互補完的な処理を実行し、受信シンボル・ストリームを提供する。ＲＸ空間プロセッサ２４０は、Ｎａｐ個の受信機ユニット２２２からのＮａｐ個の受信シンボル・ストリームに受信機空間処理を実行し、Ｎｕｐ個の復元されたアップリンク・データ・シンボル・ストリームを提供する。受信機空間処理は、チャネル相関マトリクス反転（channel correlation matrix inversion）（ＣＣＭＩ）、最小平均二乗誤差（ＭＭＳＥ）、ソフト干渉除去（soft interference cancellation）（ＳＩＣ）、又は他の何らかの技術に従って実行される。各復元されたアップリンク・データ・シンボル・ストリームは、それぞれのユーザ端末によって送信されたデータ・シンボル・ストリームの推定値である。ＲＸデータ・プロセッサ２４２は、そのストリームのために用いられたレートに従って、各復元されたアップリンク・データ・シンボル・ストリームを処理（例えば、復調、デインタリーブ、及び復号）し、復号されたデータを取得する。各ユーザ端末のための復号されたデータは、記憶のためにデータ・シンク（data sink）２４４へ、及び／又は更なる処理のために制御装置２３０へ提供されうる。
【００３５】
ダウンリンク上で、アクセス・ポイント１１０において、ＴＸデータ・プロセッサ２１０は、ダウンリンク送信のためにスケジュールされたＮｄｎ個のユーザ端末のためのデータ・ソース２０８からのトラヒック・データ、制御装置２３０からの制御データ、及び場合によってはスケジューラ２３４からの他のデータを受信する。様々なタイプのデータが、異なるトランスポート・チャネルにおいて送信されうる。ＴＸデータ・プロセッサ２１０は、そのユーザ端末のために選択されたレートに基づいて、各ユーザ端末のためのトラヒック・データを処理（例えば、符号化、インタリーブ、及び変調）する。ＴＸデータ・プロセッサ２１０は、Ｎｄｎ個のユーザ端末のためのＮｄｎ個のダウンリンク・データ・シンボル・ストリームを提供する。ＴＸ空間プロセッサ２２０は、Ｎｄｎ個のダウンリンク・データ・シンボル・ストリームに（上述したように、プリコーディング又はビームフォーミングのような）空間処理を実行し、Ｎａｐ個のアンテナのためのＮａｐ個の送信シンボル・ストリームを提供する。各送信機ユニット２２２は、それぞれの送信シンボル・ストリームを受信及び処理し、ダウンリンク信号を生成する。Ｎａｐ個の送信機ユニット２２２は、Ｎａｐ個のアンテナ２２４からユーザ端末へ送信するためのＮａｐ個のダウンリンク信号を提供する。
【００３６】
各ユーザ端末１２０において、Ｎｕｔ，ｍ個のアンテナ２５２は、アクセス・ポイント１１０からのＮａｐ個のダウンリンク信号を受信する。各受信機ユニット２５４は、関連付けられたアンテナ２５２からの受信信号を処理し、受信シンボル・ストリームを提供する。ＲＸ空間プロセッサ２６０は、Ｎｕｔ，ｍ個の受信機ユニット２５４からのＮｕｔ，ｍ個の受信シンボル・ストリームに受信機空間処理を実行し、ユーザ端末のための復元されたダウンリンク・データ・シンボル・ストリームを提供する。受信機空間処理は、ＣＣＭＩ、ＭＭＳＥ、又は他の何らかの技術に従って実行される。ＲＸデータ・プロセッサ２７０は、復元されたダウンリンク・データ・シンボル・ストリームを処理（例えば、復調、デインタリーブ、及び復号）し、ユーザ端末のための復号されたデータを取得する。
【００３７】
各ユーザ端末１２０において、チャネル推定器２７８は、ダウンリンク・チャネル応答を推定し、チャネル利得推定値、ＳＮＲ推定値、雑音分散（noise variance）等を含むことができるダウンリンク・チャネル推定値を提供する。同様に、チャネル推定器２２８は、アップリンク・チャネル応答を推定し、アップリンク・チャネル推定値を提供する。各ユーザ端末のための制御装置２８０は一般に、ユーザ端末のためのダウンリンク・チャネル応答マトリクスＨｄｎ，ｍに基づいて、そのユーザ端末のための空間フィルタ・マトリクスを導出する。制御装置２３０は、有効なアップリンク・チャネル応答マトリクスＨｕｐ，ｅｆｆに基づいて、アクセス・ポイントのための空間フィルタ・マトリクスを導出する。各ユーザ端末のための制御装置２８０は、アクセス・ポイントへフィードバック情報（例えば、ダウンリンク及び／又はアップリンクの固有ベクトル、固有値、ＳＮＲ推定値等）を送信することができる。制御装置２３０及び２８０はまた、それぞれアクセス・ポイント１１０及びユーザ端末１２０における様々な処理ユニットの動作を制御する。
【００３８】
図３は、無線通信システム１００内で用いられうる無線デバイス３０２において用いられうる様々な構成要素を示す。無線デバイス３０２は、本明細書で説明された様々な方法を実現するように構成されうるデバイスの一例である。無線デバイス３０２は、基地局１０４又はユーザ端末１０６であることができる。
【００３９】
無線デバイス３０２は、無線デバイス３０２の動作を制御するプロセッサ３０４を含むことができる。プロセッサ３０４は、中央処理ユニット（ＣＰＵ）とも称されうる。読取専用メモリ（ＲＯＭ）及びランダム・アクセス・メモリ（ＲＡＭ）の両方を含むことができるメモリ３０６は、プロセッサ３０４へ命令及びデータを提供する。メモリ３０６の一部は、不揮発性ランダム・アクセス・メモリ（ＮＶＲＡＭ）を含むこともできる。プロセッサ３０４は一般に、メモリ３０６内に記憶されたプログラム命令に基づいて、論理演算及び算術演算を実行する。メモリ３０６内の命令は、本明細書で説明された方法を実行するように実行可能であることができる。
【００４０】
無線デバイス３０２は、無線デバイス３０２と遠隔地との間のデータの送受信を可能とする送信機３１０及び受信機３１２を含むことができるハウジング３０８を含むこともできる。送信機３１０及び受信機３１２は、トランシーバ３１４として一体化されうる。単一の又は複数の送信アンテナ３１６がハウジング３０８に取り付けられ、トランシーバ３１４に電気的に結合されることができる。無線デバイス３０２は、（図示されないが）複数の送信機、複数の受信機、及び複数のトランシーバを含むこともできる。
【００４１】
無線デバイス３０２は、トランシーバ３１４によって受信された信号のレベルを検出及び量子化するために用いられうる信号検出器３１８を含むこともできる。信号検出器３１８は、そのような信号を、合計エネルギ、シンボル毎のサブキャリア毎のエネルギ、電力スペクトル密度、及び他の信号として検出することができる。無線デバイス３０２は、信号の処理に用いるためのデジタル信号プロセッサ（ＤＳＰ）を含むこともできる。
【００４２】
無線デバイス３０２の様々な構成要素は、電力バス、制御信号バス、状態信号バス、及びデータ・バスを含むことができるバス・システム３２２によって互いに結合されうる。
【００４３】
ＳＤＭＡ技術又はＴＤＭＡ技術のいずれかを用いた、アクセス・ポイント（例えば、図１のアクセス・ポイント１１０）から複数のユーザ局（ＳＴＡ）（例えば、図１のＳＴＡ１２０）へのダウンリンク（ＤＬ）送信制御プロトコル（ＴＣＰ）送信の完了後、ＳＴＡ１２０は、アップリンクにおいてトランスポート層アクノレッジメント（例えば、ＴＣＰ  ＡＣＫ）を送信することが必要となりうる。しかし、ＴＣＰ  ＡＣＫは、ＤＬ  ＳＤＭＡ／ＴＤＭＡ送信の前にＳＴＡ１２０によって送信されたバッファ状態において反映されることができない。同時ＤＬ送信に関わった全てのＳＴＡ１２０が自身のバックオフ・カウントを個々に選択し、メディアアクセス制御（ＭＡＣ）レベル・アクノレッジメント（例えば、ブロック・アクノレッジメント）の直後にポストバックオフを開始した場合、ポストバックオフ・コリジョンの可能性は許容不可能なほど高くなりうる。
【００４４】
図４は、本開示のある態様に従って、異なる最小サイズのコンテンション・ウインドウ（contention window）（ＣＷ）に関する同時ダウンリンクＴＣＰ送信を受信するＳＴＡの数の関数としてポストバックオフ・アップリンク・コリジョンの可能性を示す。ＣＷが小さい場合のアクセス・カテゴリ音声（ＡＣ＿ＶＯ）アプリケーション及びアクセス・カテゴリ・ビデオ（ＡＣ＿ＶＩ）アプリケーションの場合、４より多い数のＳＴＡが同一のバックオフ・パラメータを用いて同時にポストバックオフに入ることを可能にすることは実用的ではないだろう。ＣＷがより大きい場合のアクセス・カテゴリ・ベスト・エフォート（ＡＣ＿ＢＥ）アプリケーション及びアクセス・カテゴリ・バック・グラウンド（ＡＣ＿ＢＫ）アプリケーションの場合、５より多い数のＳＴＡが同一のバックオフ・パラメータを用いて同時にポストバックオフに入ることを可能にすることは実用的ではないだろう。
【００４５】
（ポストバックオフ・コリジョンのための解決策）
図１に示す無線システム１００のＡＰ１１０のようなアクセス・ポイント（ＡＰ）は、上位層アクノレッジメントを有する、ダウンリンクＳＤＭＡ送信内に存在する１より多い数の信号フローを決定することができる。この情報は、トラヒック仕様（ＴＳＰＥＣ）を調べること又はアプリケーション層パケット検査を実行することによって推測されうる。ＡＰは、同時ダウンリンクＳＤＭＡ送信を受信するユーザＳＴＡのための１より多い数の信号フローが存在することを決定することもできる。この情報は、これらのＳＴＡの各々に関連付けられたバッファ状態を調べることによって推測されうる。
【００４６】
本開示の１つの態様において、ＡＰは、各ＳＴＡにバックオフ値を割り当てることができる。このバックオフ値は、ＳＴＡが、ダウンリンク送信の受信後、アップリンクにおける送信前にどのくらいの期間待機するべきかを示すことができる。同時ダウンリンク送信のためにスケジュールされたＳＴＡの数が、コンテンション・ウインドウに定められた最小値（すなわち、ＣＷＭｉｎ）よりも小さい場合、各スケジュールされたＳＴＡは、１とＣＷＭｉｎとの間の数のランダムに分類されたアレイからユニークな値を割り当てられうる。一方、スケジュールされたＳＴＡの数がＣＷＭｉｎよりも大きい場合、各ＳＴＡは、スケジュールされたＳＴＡの数よりも大きい所定の数と１との間の数のランダムに分類されたアレイからユニークな値を割り当てられうる。
【００４７】
本開示の別の態様において、ＡＰは、ＳＴＡが通信メディアに関して競合するべきではないことを示す「競合禁止（do not contend）」ダウンリンク・メッセージをＳＴＡへ送信することができる。「競合禁止」メッセージの送信は、同時ダウンリンク・トランザクションに特定のビットを設定することを備えることができる。その後、ＳＴＡからのブロック・アクノレッジメント（ＢＡ）の受信後の最短フレーム間隔（a Short Inter-Frame Space）（ＳＩＦＳ）の持続期間、ＡＰはバックオフ・タイミング・メッセージをＳＴＡへ送信することができる。このメッセージは、ＳＴＡの各々のためのユニークなバックオフ値を備えることができる。
【００４８】
図５は、本開示のある態様に従って、ＳＴＡへ送信された、複数のアクセスに関する要求メッセージ（a Request Message）（ＲＭ）５００のフォーマットの例を示す。ＲＭ５００は、フレーム制御（ＦＣ）フィールド５０２、持続フィールド（Duration field）５０４、宛先アドレス（ＤＡ）フィールド５０６、発信元アドレス（ＳＡ）フィールド５０８、アップリンク（ＵＬ）データ持続フィールド５１０、ＳＴＡ情報フィールド５１２、及び周期的冗長検査（ＣＲＣ）フィールド５１４を備えることができる。図５に示すように、同時ダウンリンクＳＤＭＡ送信に用いられるＳＴＡの各々について、ＳＴＡ情報フィールド５１２は、多元接続送信要求（a Request to Send Multiple Access）（ＲＴＳ−ＭＡ）識別（ＩＤ）５１６、ＳＴＡの各々に関連付けられた加入者の数に関する情報（＃ＳＳ）５１８、送信電力に関するインジケーション（Ｔｘ  ＰＷＲ）５２０、レンジング・フィールド５２２、用いられた変調コーディング・スキーム（ＭＣＳ）に関するインジケーション５２４、及び割り当てられたバックオフ値５２６を備えることができる。
【００４９】
図６は、本開示のある態様に従って、同時ダウンリンク送信を受信するＳＴＡ６０４乃至６０８とＡＰ６０２との間の通信の例を示す。ＳＴＡ６０４乃至６０８の各々のためのアップリンク・データ送信時間は、図５に示すように要求メッセージ（ＲＭ）６１０において提供された対応するバックオフ時間値によって決定されうる。
【００５０】
図６に示すように、ＡＰ６０２は、ＳＴＡ６０４乃至６０８の各々のためにランダムに選択されたバックオフ時間を備えるＲＭ６１０、及びＲＭ６１０の送信に後続する送信可（Clear-to-send）（ＣＴＳ）メッセージ６１２を送信することができる。ＲＭ６１０において指定されたバックオフ時間は、ＳＴＡ６０４乃至６０８において、同時ダウンリンクＳＤＭＡ送信に後続してアップリンク・データを送信するために用いられうる。図６に示すように、ＳＴＡ６０４乃至６０８は、サウンディング情報（sounding information）６１４を用いてＲＭ６１０の受信に応答することができる。サウンディング情報６１４に応答して、ＡＰ６０２は、ダウンリンクＳＤＭＡ送信６１６をＳＴＡ６０４乃至６０８へ同時に送信することができる。ダウンリンクＳＤＭＡトランザクション６１６の受信後、ＳＴＡ６０４乃至６０８は、それぞれのブロック・アクノレッジメント（ＢＡ）６１８を送信することができ、その後、ＲＭ６１０内でＡＰ６０２によって指定されたランダムなバックオフ値に従ってポストバックオフ・モードに入ることができる。ＳＴＡ６０４乃至６０８におけるバックオフ時間の正しい割当てをＡＰ６０２へ戻して確認するために、各ＢＡ６１８は、そのＳＴＡに割り当てられた対応するバックオフ時間値を備えることができる。
【００５１】
（特定のＳＴＡがサウンディング情報を送信しなかったため、又はＡＰ６０２がサウンディング情報を受信しなかったためのいずれかによって）ダウンリンクＳＤＭＡトランザクション６１６を受信しなかった、ＲＭ６１０において記載されたＳＴＡが存在する場合、この特定のＳＴＡは、ＲＭ６１０において提供されたバックオフ時間に従う必要がないことも留意されるべきである。
【００５２】
図７は、本開示のある態様に従って、同時送信を受信することができる複数の他の装置（例えば、複数の無線ノード）の各々のためのバックオフ値を決定するために装置（例えば、アクセス・ポイント）において実行されうる動作の例７００を示す。７０２において、前記装置は、他の装置の各々のためのバックオフ値を決定することができる。この複数のバックオフ値は、他の装置の数に少なくとも部分的に基づいて決定されることができ、複数のバックオフ値は、他の装置が、同時送信の受信後、送信前にどのくらいの期間待機するべきかを示すことができる。７０４において、前記装置は、決定された複数のバックオフ値を他の装置へ送信することができる。
【００５３】
図８は、本開示のある態様に従って、別の装置（例えば、アクセス・ポイント）からの同時送信を受信することができる複数の装置（例えば、複数の無線ノード）のうちの１つの装置において実行されうる動作の例８００を示す。８０２において、前記装置は、他の装置から前記複数の装置へ送信されたメッセージを受信することができる。このメッセージは複数のバックオフ値を備え、各バックオフ値は、複数の装置のうちの１つに割り当てられうる。８０４において、前記装置は、割り当てられたバックオフ値によって示された期間、送信を控えることができる。
【００５４】
図９は、本開示のある態様に従って、同時送信を受信することができる複数の他の装置（例えば、複数の無線ノード）の各々のためのバックオフ値を決定するために、装置（例えば、アクセス・ポイント）によって実行されうる動作の例９００を示す。９０２において、前記装置は、複数の他の装置の各々へ制御メッセージを送信することができる。９０４において、前記装置は、複数の他の装置の各々からのアクノレッジメント・メッセージ（すなわち、ＭＡＣレベル・アクノレッジメント）を受信することができ、このアクノレッジメント・メッセージは、複数の他の装置における制御メッセージの受信後に送信されうる。９０６において、アクノレッジメント・メッセージに応答して、前記装置は、複数のバックオフ値を有するバックオフ・タイミング・メッセージを複数の他の装置へ送信することができ、この複数のバックオフ値は、複数の他の装置が、同時送信の受信後、送信前にどれほどの期間待機するべきかを示すことができる。
【００５５】
アップリンクにおけるポストバックオフ・コリジョンは、例えば複数のＳＴＡへの集合物理層プロトコル・データ・ユニット（an Aggregate Physical Layer Protocol Data Unit）（ＡＰＰＤＵ）の送信を用いるメカニズムのような他のダウンリンク・マルチ集合送信メカニズム（downlink multi-aggregate transmission mechanisms）に関して発生することもある。本開示の１つの態様において、ポストバックオフ時間は、ＡＰＰＤＵフレームのヘッダ・フィールドのうちの１つにおいてＳＴＡへ提供されうる。本開示の別の態様において、「競合禁止」メッセージは、ＡＰＰＤＵフレームのヘッダ・フィールドのうちの１つにおいて提示されうる（すなわち、対応するビットが設定されうる）。その後、全てのＳＴＡのためのポストバックオフ時間を含むポストバックオフ時間メッセージがアクセス・ポイントからＳＴＡへ送信されうる。
【００５６】
上述された方法の様々な動作は、対応する機能を実行することができる任意の適切な手段によって実行されうる。手段は、回路、特定用途向け集積回路（ＡＳＩＣ）、又はプロセッサを含むがこれらに限定されない、様々なハードウェア及び／又はソフトウェア構成要素及び／又はモジュールを含むことができる。一般に、図面において動作が示された場合、それらの動作は、同様の番号付けがされた対応する同等の手段プラス機能（means-plus-function）の構成要素を有することができる。例えば、図７、８、及び９に示された動作７００、８００、及び９００は、図７Ａ、８Ａ、及び９Ａに示された構成要素７００Ａ、８００Ａ、及び９００Ａに対応する。
【００５７】
本明細書において用いられる場合、「決定する」という用語は、幅広く様々なアクションを包括する。例えば「決定する」ことは、計算すること（calculating）、計算すること（computing）、処理すること、導出すること、調査すること、検索すること（例えば、テーブル、データベース、又は別のデータ構造内を検索すること）、確かめること等を含むことができる。また、「決定する」ことは、受信する（例えば、情報を受信する）こと、アクセスする（例えば、メモリ内のデータにアクセスする）こと等を含むこともできる。また、「決定する」ことは、分解すること、選択すること（selecting）、選択すること（choosing）、確立すること等を含むこともできる。
【００５８】
本明細書において用いられる場合、事項のリストの「少なくとも１つ」に言及する語句は、単一のメンバを含む、それらの事項の任意の組み合わせを称する。例えば、「ａ、ｂ、又はｃのうちの少なくとも１つ」は、ａ、ｂ、ｃ、ａとｂ、ａとｃ、ｂとｃ、及びａとｂとｃをカバーすることを意図している。
【００５９】
上述された方法の様々な動作は、例えば様々なハードウェア及び／又はソフトウェアの構成要素、回路、及び／又はモジュールのような、その動作を実行することができる任意の適切な手段によって実行されうる。一般に、図面に示された任意の動作は、その動作を実行することができる対応する機能手段によって実行されうる。
【００６０】
本開示に関連して説明された様々な例示的論理ブロック、モジュール、及び回路は、汎用プロセッサ、デジタル信号プロセッサ（ＤＳＰ）、特定用途向け集積回路（ＡＳＩＣ）、フィールド・プログラマブル・ゲート・アレイ信号（ＦＰＧＡ）又は他のプログラマブルロジックデバイス（ＰＬＤ）、ディスクリート・ゲートまたはトランジスタ・ロジック、ディスクリート・ハードウェア構成要素、又は、本明細書で説明された機能を実行するように設計されたそれらの任意の組み合わせによって実現又は実行されうる。汎用プロセッサとしてマイクロプロセッサを用いることができるが、その代わりとして、任意の商用プロセッサ、制御装置、マイクロ制御装置、又はステート・マシンを用いることもできる。プロセッサはまた、例えばＤＳＰとマイクロプロセッサとの組み合わせ、複数のマイクロプロセッサ、ＤＳＰコアに接続された１つ又は複数のマイクロプロセッサ、又は他の任意のそのような構成といったコンピュータ・デバイスの組み合わせとして実装されることもできる。
【００６１】
本開示に関連して説明されたアルゴリズム又は方法のステップは、ハードウェアによって、プロセッサによって実行されるソフトウェア・モジュールによって、又はそれら２つの組み合わせによって直接具現化されうる。ソフトウェア・モジュールは、当該技術において周知である任意の形式の記憶媒体内に収納されうる。用いられうる記憶媒体のいくつかの例は、ランダム・アクセス・メモリ（ＲＡＭ）、読取専用メモリ（ＲＯＭ）、フラッシュ・メモリ、ＥＰＲＯＭメモリ、ＥＥＰＲＯＭメモリ、レジスタ、ハード・ディスク、リムーバブル・ディスク、ＣＤ−ＲＯＭ等を含む。ソフトウェア・モジュールは、単一の命令又は複数の命令を備えることができ、いくつかの異なるコード・セグメント、異なるプログラム、及び複数の記憶媒体に散在することができる。記憶媒体は、プロセッサがその記憶媒体から情報を読み取り、またその記憶媒体へ情報を書き込むことができるように、プロセッサに結合されうる。あるいは記憶媒体は、プロセッサに統合されうる。
【００６２】
本明細書に開示された方法は、上述された方法を達成するための１つ又は複数のステップ又はアクションを備える。方法のステップ及び／又はアクションは、特許請求の範囲から逸脱することなく互いに置き換えることができる。すなわち、ステップ又はアクションの特定の順序が指定されない限り、特定のステップ及び／又はアクションの順序及び／又は使用は、特許請求の範囲から逸脱することなく変更することができる。
【００６３】
上述された機能は、ハードウェア、ソフトウェア、ファームウェア、又はそれらの任意の組み合わせによって実現されうる。ソフトウェアによる実現の場合、機能は、１つ又は複数の命令としてコンピュータ読取可能媒体に記憶されうる。記憶媒体は、コンピュータによってアクセスすることができる任意の利用可能な媒体であることができる。限定ではなく一例として、そのようなコンピュータ読取可能媒体は、ＲＡＭ、ＲＯＭ、ＥＥＰＲＯＭ、ＣＤ−ＲＯＭあるいは他の光学ディスク記憶装置、磁気ディスク記憶装置あるいは他の磁気記憶デバイス、又は、命令又はデータ構造の形式で所望のプログラム・コードを搬送あるいは記憶するために用いることができ、コンピュータによってアクセスすることができる他の任意の媒体を備えることができる。ディスク（disk）及びディスク（disc）は、本明細書において用いられる場合、コンパクト・ディスク（disc）（ＣＤ）、レーザ・ディスク（disc）、光学ディスク（disc）、デジタル・バーサタイル・ディスク（disc）（ＤＶＤ）、フロッピー（登録商標）ディスク（disk）、ブルーレイ（登録商標）ディスク（disc）を含む。ディスク（disk）は一般にデータを磁気的に再生し、ディスク（disc）はレーザを用いてデータを光学的に再生する。
【００６４】
従って、ある態様は、本明細書に提示された動作を実行するためのコンピュータ・プログラム製品を備えることができる。例えばそのようなコンピュータ・プログラム製品は、それらに記憶された（及び／又は符号化された）命令を有するコンピュータ読取可能媒体を備えることができ、この命令は、本明細書で説明された動作を実行するために１つまたは複数のプロセッサによって実行可能である。ある態様の場合、コンピュータ・プログラム製品は、パッケージ材料を含むことができる。
【００６５】
ソフトウェア又は命令は、送信媒体を介して送信されることもできる。例えば、ソフトウェアが、ウェブサイト、サーバ、又は他の遠隔ソースから、同軸ケーブル、光ファイバ・ケーブル、ツイスト・ペア、デジタル加入者線（ＤＳＬ）、又は例えば赤外線、無線(radio)、及びマイクロ波のような無線技術を用いて送信された場合、同軸ケーブル、光ファイバ・ケーブル、ツイスト・ペア、デジタルＤＳＬ、又は例えば赤外線、無線、及びマイクロ波のような無線技術は、送信媒体の定義に含まれる。
【００６６】
更に、本明細書で説明された方法及び技術を実行するためのモジュール及び／又は他の適切な手段は適宜、ユーザ端末及び／又は基地局によってダウンロード及び／又は他の方法で取得することができる。例えばそのようなデバイスは、本明細書で説明された方法を実行するための手段の転送を容易にするためにサーバに結合されうる。あるいは、本明細書で説明された様々な方法は、そのデバイスへ記憶手段を結合又は提供すると、ユーザ端末及び／又は基地局が様々な方法を取得することができるように、記憶手段（例えば、ＲＡＭ、ＲＯＭ、例えばコンパクト・ディスク（ＣＤ）又はフロッピー・ディスク等のような物理記憶媒体）を介して提供されうる。更に、本明細書で説明された方法及び技術をデバイスへ提供するための他の任意の適切な手段が用いられうる。
【００６７】
特許請求の範囲は、上述されたものと全く同じ構成及び構成要素に限定されないことが理解されるべきである。特許請求の範囲から逸脱することなく、上述された方法及び装置の構成、動作、及び細部において様々な修正、変更、及び変形が用いられうる。
【００６８】
上記は本開示の態様に向けられるが、本開示の他の態様及び更なる態様が、以下の特許請求の範囲によって定められたその基本的範囲から逸脱することなく考案されうる。
なお、本願の出願当初の請求項と同一の記載を以下に付記する。
［Ｃ１］  無線通信のための方法であって、
同時送信を受信するための複数の装置の各々のためのバックオフ値を決定することと、
前記決定された複数のバックオフ値を前記複数の装置へ送信することと
を備え、前記バックオフ値は、前記複数の装置の数に少なくとも部分的に基づいて決定され、前記バックオフ値は、前記複数の装置が、前記同時送信の受信後、送信前に待機するべき期間を示す、方法。
［Ｃ２］  前記バックオフ値は、前記複数の装置が、前記同時送信の受信後、トランスポート層アクノレッジメントを送信する前に待機するべき期間を示す、Ｃ１に記載の方法。
［Ｃ３］  前記複数の装置の各々のためのバックオフ値を決定することは、
前記複数の装置の数が所定の値よりも小さい場合、１と前記所定の値の間の数のランダムに分類されたアレイからユニークな値を前記複数の装置の各々へ割り当てることを備える、Ｃ１に記載の方法。
［Ｃ４］  前記所定の値は、最小コンテンション・ウインドウ・サイズを備える、Ｃ３に記載の方法。
［Ｃ５］  前記複数の装置の各々のためのバックオフ値を決定することは、
前記複数の装置の数が第２の値よりも大きい場合、前記複数の装置の数よりも大きい第１の値と１との間の数のランダムに分類されたアレイからユニークな値を前記複数の装置の各々へ割り当てることを備える、Ｃ１に記載の方法。
［Ｃ６］  前記第２の値は、最小コンテンション・ウインドウ・サイズを備える、Ｃ５に記載の方法。
［Ｃ７］  前記決定された複数のバックオフ値は、前記複数の装置へ、アクセスを要求するメッセージにおいて送信される、Ｃ１に記載の方法。
［Ｃ８］  前記決定された複数のバックオフ値は、集合物理層プロトコル・データ・ユニット（ＡＰＰＤＵ）フレームの１つ又は複数のヘッダ・フィールドにおいて送信される、Ｃ１に記載の方法。
［Ｃ９］  無線通信のための装置であって、
同時送信を受信するための複数の装置の各々のためのバックオフ値を決定するように構成された処理システムと、
前記決定された複数のバックオフ値を前記複数の装置へ送信するように構成された送信機と
を備え、前記バックオフ値は、前記複数の装置の数に少なくとも部分的に基づいて決定され、前記バックオフ値は、前記複数の装置が、前記同時送信の受信後、送信前に待機するべき期間を示す、装置。
［Ｃ１０］  前記バックオフ値は、前記複数の装置が、前記同時送信の受信後、トランスポート層アクノレッジメントを送信する前に待機するべき期間を示す、Ｃ９に記載の装置。
［Ｃ１１］  前記複数の装置の各々のためのバックオフ値を決定するように構成された処理システムは、
前記複数の装置の数が所定の値よりも小さい場合、１と前記所定の値との間の数のランダムに分類されたアレイからユニークな値を前記複数の装置の各々へ割り当てるように構成された回路を備える、Ｃ９に記載の装置。
［Ｃ１２］  前記所定の値は、最小コンテンション・ウインドウ・サイズを備える、Ｃ１１に記載の装置。
［Ｃ１３］  前記複数の装置の各々のためのバックオフ値を決定するように構成された処理システムは、
前記複数の装置の数が第２の値よりも大きい場合、前記複数の装置の数よりも大きい第１の値と１との間の数のランダムに分類されたアレイからユニークな値を前記複数の装置の各々へ割り当てるように構成された回路を備える、Ｃ９に記載の装置。
［Ｃ１４］  前記第２の値は、最小コンテンション・ウインドウ・サイズを備える、Ｃ１３に記載の装置。
［Ｃ１５］  前記決定された複数のバックオフ値は、前記複数の装置へ、アクセスを要求するメッセージにおいて送信される、Ｃ９に記載の装置。
［Ｃ１６］  前記決定された複数のバックオフ値は、集合物理層プロトコル・データ・ユニット（ＡＰＰＤＵ）フレームの１つ又は複数のヘッダ・フィールドにおいて送信される、Ｃ９に記載の装置。
［Ｃ１７］  無線通信のための装置であって、
同時送信を受信するための複数の装置の各々のためのバックオフ値を決定する手段と、
前記決定された複数のバックオフ値を前記複数の装置へ送信する手段と
を備え、前記バックオフ値は、前記複数の装置の数に少なくとも部分的に基づいて決定され、前記バックオフ値は、前記複数の装置が、前記同時送信の受信後、送信前に待機するべき期間を示す、装置。
［Ｃ１８］  前記バックオフ値は、前記複数の装置が、同時送信の受信後、トランスポート層アクノレッジメントを送信する前に待機するべき期間を示す、Ｃ１７に記載の装置。
［Ｃ１９］  前記複数の装置の各々のためのバックオフ値を決定する手段は、
前記複数の装置の数が所定の値よりも小さい場合、１と前記所定の数との間の数のランダムに分類されたアレイからユニークな数を前記複数の装置の各々へ割り当てる手段を備える、Ｃ１７に記載の装置。
［Ｃ２０］  前記所定の数は、最小コンテンション・ウインドウ・サイズを備える、Ｃ１９に記載の装置。
［Ｃ２１］  前記複数の装置の各々のためのバックオフ値を決定する手段は、
前記複数の装置の数が第２の値よりも大きい場合、前記複数の装置の数よりも大きい第１の値と１との間の数のランダムに分類されたアレイからユニークな値を前記複数の装置の各々へ割り当てる手段を備える、Ｃ１７に記載の装置。
［Ｃ２２］  前記第２の値は、最小コンテンション・ウインドウ・サイズを備える、Ｃ２１に記載の装置。
［Ｃ２３］  前記決定された複数のバックオフ値は、前記複数の装置へ、アクセスを要求するメッセージにおいて送信される、Ｃ１７に記載の装置。
［Ｃ２４］  前記決定された複数のバックオフ値は、集合物理層プロトコル・データ・ユニット（ＡＰＰＤＵ）フレームの１つ又は複数のヘッダ・フィールドにおいて送信される、Ｃ１７に記載の装置。
［Ｃ２５］  無線通信のためのコンピュータ・プログラム製品であって、
同時送信を受信するための複数の装置の各々のためのバックオフ値を決定し、
前記決定された複数のバックオフ値を前記複数の装置へ送信する
ように実行可能な命令を備えるコンピュータ読取可能媒体を備え、前記バックオフ値は、前記複数の装置の数に少なくとも部分的に基づいて決定され、前記バックオフ値は、前記複数の装置が、前記同時送信の受信後、送信前に待機するべき期間を示す、コンピュータ・プログラム製品。
［Ｃ２６］  少なくとも１つのアンテナと、
同時送信を受信するための複数の無線ノードの各々のためのバックオフ値を決定するように構成された処理システムと、
前記少なくとも１つのアンテナを介して、前記決定された複数のバックオフ値を前記無線ノードへ送信するように構成された送信機と
を備えるアクセス・ポイントであって、前記バックオフ値は、前記無線ノードの数に少なくとも部分的に基づいて決定され、前記バックオフ値は、前記無線ノードが、前記同時送信の受信後、送信前に待機するべき期間を示す、アクセス・ポイント。
［Ｃ２７］  無線通信のための方法であって、
複数の装置のうちの１つの装置において、他の装置から前記複数の装置へ送信されたメッセージを受信することであって、前記メッセージは、複数のバックオフ値を備え、各バックオフ値が前記複数の装置のうちの１つに割り当てられる、受信することと、
前記装置に割り当てられたバックオフ値によって示された期間、送信を控えることとを備える方法。
［Ｃ２８］  前記割り当てられたバックオフ値によって示された期間が経過した後、前記他の装置へトランスポート層アクノレッジメントを送信することを更に備える、Ｃ２７に記載の方法。
［Ｃ２９］  前記メッセージに応答して、前記他の装置へサウンディング情報を送信することと、
前記他の装置において受信されたサウンディング情報に応答して送信された、前記他の装置からのデータを受信することと、
前記受信したデータに応答して、前記他の装置へメディアアクセス制御（ＭＡＣ）レベル・アクノレッジメントを送信することと
を更に備える、Ｃ２７に記載の方法。
［Ｃ３０］  前記送信を控えることは、
前記ＭＡＣレベル・アクノレッジメントの送信後、送信を控えることを備える、Ｃ２９に記載の方法。
［Ｃ３１］  前記ＭＡＣレベル・アクノレッジメントは、ブロック・アクノレッジメントを備える、Ｃ２９に記載の方法。
［Ｃ３２］  前記ブロック・アクノレッジメントは、前記割り当てられたバックオフ値を備える、Ｃ３１に記載の方法。
［Ｃ３３］  前記メッセージは、前記複数の装置へアクセスするための要求メッセージ（ＲＭ）を備える、Ｃ２７に記載の方法。
［Ｃ３４］  前記メッセージは、集合物理層プロトコル・データ・ユニット（ＡＰＰＤＵ）メッセージを備える、Ｃ２７に記載の方法。
［Ｃ３５］  前記ＡＰＰＤＵメッセージのヘッダ・フィールドは、前記割り当てられたバックオフ値を備える、Ｃ３４に記載の方法。
［Ｃ３６］  各割り当てられたバックオフ値はユニークである、Ｃ２７に記載の方法。
［Ｃ３７］  無線通信のための装置であって、
複数の装置のうちの前記装置において、他の装置から前記複数の装置へ送信されたメッセージを受信するように構成された受信機であって、前記メッセージは、複数のバックオフ値を備え、各バックオフ値が前記複数の装置のうちの１つに割り当てられる、受信機と、
前記装置に割り当てられたバックオフ値によって示された期間、送信を控えるように構成された送信機と
を備える装置。
［Ｃ３８］  前記送信機はまた、前記割り当てられたバックオフ値によって示された期間が経過した後、前記他の装置へトランスポート層アクノレッジメントを送信するように構成される、Ｃ３７に記載の装置、
［Ｃ３９］  前記送信機はまた、前記メッセージに応答して、前記他の装置へサウンディング情報を送信するように構成され、
前記受信機はまた、前記他の装置において受信された前記サウンディング情報に応答して送信された、前記他の装置からのデータを受信するように構成され、
前記送信機はまた、前記受信されたデータに応答して、前記他の装置へメディアアクセス制御（ＭＡＣ）レベル・アクノレッジメントを送信するように構成される、Ｃ３７に記載の装置。
［Ｃ４０］  前記送信機はまた、前記ＭＡＣレベル・アクノレッジメントの送信後、送信を控えるように構成される、Ｃ３９に記載の装置。
［Ｃ４１］  前記ＭＡＣレベル・アクノレッジメントは、ブロック・アクノレッジメントを備える、
Ｃ３９に記載の装置。
［Ｃ４２］  前記ブロック・アクノレッジメントは、前記割り当てられたバックオフ値を備える、Ｃ４１に記載の装置。
［Ｃ４３］  前記メッセージは、前記複数の装置へアクセスするための要求メッセージ（ＲＭ）を備える、Ｃ３７に記載の装置。
［Ｃ４４］  前記メッセージは、集合物理層プロトコル・データ・ユニット（ＡＰＰＤＵ）メッセージを備える、Ｃ３７に記載の装置。
［Ｃ４５］  前記ＡＰＰＤＵメッセージのヘッダ・フィールドは、前記割り当てられたバックオフ値を備える、Ｃ４４に記載の装置。
［Ｃ４６］  各割り当てられたバックオフ値はユニークである、Ｃ３７に記載の装置。
［Ｃ４７］  無線通信のための装置であって、
複数の装置のうちの前記装置において、他の装置から前記複数の装置へ送信されたメッセージを受信するための手段であって、前記メッセージは、複数のバックオフ値を備え、各バックオフ値が前記複数の装置のうちの１つに割り当てられる、受信するための手段と、
前記装置に割り当てられたバックオフ値によって示された期間、送信を控えるための手段と
を備える装置。
［Ｃ４８］  前記割り当てられたバックオフ値によって示された期間が経過した後、前記他の装置へトランスポート層アクノレッジメントを送信するための手段を更に備える、Ｃ４７に記載の装置。
［Ｃ４９］  前記メッセージに応答して、前記他の装置へサウンディング情報を送信するための手段と、
前記他の装置において受信された前記サウンディング情報に応答して送信された、前記他の装置からのデータを受信するように更に構成された前記受信するための手段と、
前記受信されたデータに応答して、前記他の装置へメディアアクセス制御（ＭＡＣ）レベル・アクノレッジメントを送信するように更に構成された前記送信するための手段と
を更に備える、Ｃ４７に記載の装置。
［Ｃ５０］  前記送信を控えるための手段は、
前記ＭＡＣレベル・アクノレッジメントの送信後、送信を控えるための手段を備える、Ｃ４９に記載の装置。
［Ｃ５１］  前記ＭＡＣレベル・アクノレッジメントは、ブロック・アクノレッジメントを備える、Ｃ４９に記載の装置。
［Ｃ５２］  前記ブロック・アクノレッジメントは、前記割り当てられたバックオフ値を備える、Ｃ５１に記載の装置。
［Ｃ５３］  前記メッセージは、前記複数の装置へアクセスするための要求メッセージ（ＲＭ）を備える、Ｃ４７に記載の装置。
［Ｃ５４］  前記メッセージは、集合物理層プロトコル・データ・ユニット（ＡＰＰＤＵ）メッセージを備える、Ｃ４７に記載の装置。
［Ｃ５５］  前記ＡＰＰＤＵメッセージのヘッダ・フィールドは、前記割り当てられたバックオフ値を備える、Ｃ５４に記載の装置。
［Ｃ５６］  各割り当てられたバックオフ値はユニークである、Ｃ４７に記載の装置。
［Ｃ５７］  無線通信のためのコンピュータ・プログラム製品であって、
複数の装置のうちの１つの装置において、他の装置から前記複数の装置へ送信されたメッセージを受信し、前記メッセージは、複数のバックオフ値を備え、各バックオフ値が前記複数の装置のうちの１つに割り当てられ、
前記装置に割り当てられたバックオフ値によって示された期間、送信を控えるように実行可能な命令を備えるコンピュータ読取可能媒体を備える、コンピュータ・プログラム製品。
［Ｃ５８］  無線ノードであって、
少なくとも１つのアンテナと、
複数の無線ノードのうちの前記無線ノードにおいて前記少なくとも１つのアンテナを介して、アクセス・ポイントから前記複数の無線ノードへ送信されたメッセージを受信するように構成された受信機であって、前記メッセージは、複数のバックオフ値を備え、各バックオフ値が前記複数の無線ノードのうちの１つに割り当てられる、受信機と、
前記無線ノードに割り当てられたバックオフ値によって示された期間、送信を控えるように構成された送信機と
を備える、無線ノード。
［Ｃ５９］  無線通信のための方法であって、
同時送信を受信するための複数の装置の各々へ制御メッセージを送信することと、
前記複数の装置における前記制御メッセージの受信後に送信された、前記複数の装置の各々からのアクノレッジメント・メッセージを受信することと、
前記アクノレッジメント・メッセージに応答して、複数のバックオフ値を有するバックオフ・タイミング・メッセージを前記複数の装置へ送信することと
を備え、前記バックオフ値は、前記複数の装置が、前記同時送信の受信後、送信前に待機するべき期間を示す、方法。
［Ｃ６０］  前記バックオフ・タイミング・メッセージは、前記アクノレッジメント・メッセージの受信後、最短フレーム間隔（ＳＩＦＳ）持続期間、送信される、Ｃ５９に記載の方法。
［Ｃ６１］  前記制御メッセージを送信することは、
前記同時送信の各々において前記制御メッセージを送信することを備える、Ｃ５９に記載の方法。
［Ｃ６２］  前記制御メッセージは、前記複数の装置が通信メディアに関して競合すべきではないことを示すインジケーションを備える、Ｃ５９に記載の方法。
［Ｃ６３］  前記制御メッセージは、集合物理層プロトコル・データ・ユニット（ＡＰＰＤＵ）のヘッダ・フィールドにおいて送信される、Ｃ５９に記載の方法。
［Ｃ６４］  前記アクノレッジメント・メッセージは、メディアアクセス制御（ＭＡＣ）レベル・アクノレッジメントを備える、Ｃ５９に記載の方法。
［Ｃ６５］  前記バックオフ値は全て異なる、Ｃ５９に記載の方法。
［Ｃ６６］  無線通信のための装置であって、
同時送信を受信するための複数の装置の各々へ制御メッセージを送信するように構成された送信機と、
前記複数の装置における前記制御メッセージの受信後に送信された、前記複数の装置の各々からのアクノレッジメント・メッセージを受信するように構成された受信機と
を備え、前記送信機はまた、前記アクノレッジメント・メッセージに応答して、複数のバックオフ値を有するバックオフ・タイミング・メッセージを前記複数の装置へ送信するように構成され、前記バックオフ値は、前記複数の装置が、前記同時送信の受信後、送信前に待機するべき期間を示す、装置。
［Ｃ６７］  前記バックオフ・タイミング・メッセージは、前記アクノレッジメント・メッセージの受信後、最短フレーム間隔（ＳＩＦＳ）持続期間、送信される、Ｃ６６に記載の装置。
［Ｃ６８］  前記送信機はまた、前記同時送信の各々において前記制御メッセージを送信するように構成される、Ｃ６６に記載の装置。
［Ｃ６９］  前記制御メッセージは、前記複数の装置が通信メディアに関して競合すべきではないことを示すインジケーションを備える、Ｃ６６に記載の装置。
［Ｃ７０］  前記制御メッセージは、集合物理層プロトコル・データ・ユニット（ＡＰＰＤＵ）のヘッダ・フィールドにおいて送信される、Ｃ６６に記載の装置。
［Ｃ７１］  前記アクノレッジメント・メッセージは、メディアアクセス制御（ＭＡＣ）レベル・アクノレッジメントを備える、Ｃ６６に記載の装置。
［Ｃ７２］  前記バックオフ値は全て異なる、Ｃ６６に記載の装置。
［Ｃ７３］  無線通信のための装置であって、
同時送信を受信するための複数の装置の各々へ制御メッセージを送信するための手段と、
前記複数の装置における前記制御メッセージの受信後に送信された、前記複数の装置の各々からのアクノレッジメント・メッセージを受信するための手段と
を備え、前記送信するための手段は更に、前記アクノレッジメント・メッセージに応答して、複数のバックオフ値を有するバックオフ・タイミング・メッセージを送信するように構成され、前記バックオフ値は、前記複数の装置が、前記同時送信の受信後、送信前に待機するべき期間を示す、装置。
［Ｃ７４］  前記バックオフ・タイミング・メッセージは、前記アクノレッジメント・メッセージの受信後、最短フレーム間隔（ＳＩＦＳ）持続期間、送信される、Ｃ７３に記載の装置。
［Ｃ７５］  前記送信するための手段は更に、前記同時送信の各々において前記制御メッセージを送信するように構成される、Ｃ７３に記載の装置。
［Ｃ７６］  前記制御メッセージは、前記装置が通信メディアに関して競合すべきではないことを示すインジケーションを備える、Ｃ７３に記載の装置。
［Ｃ７７］  前記制御メッセージは、集合物理層プロトコル・データ・ユニット（ＡＰＰＤＵ）のヘッダ・フィールドにおいて送信される、Ｃ７３に記載の装置。
［Ｃ７８］  前記アクノレッジメント・メッセージは、メディアアクセス制御（ＭＡＣ）レベル・アクノレッジメントを備える、Ｃ７３に記載の装置。
［Ｃ７９］  前記バックオフ値は全て異なる、Ｃ７３に記載の装置。
［Ｃ８０］  無線通信のためのコンピュータ・プログラム製品であって、
同時送信を受信するための複数の装置の各々へ制御メッセージを送信し、
前記複数の装置における前記制御メッセージの受信後に送信された、前記複数の装置の各々からのアクノレッジメント・メッセージを受信し、
前記アクノレッジメント・メッセージに応答して、複数のバックオフ値を有するバックオフ・タイミング・メッセージを前記複数の装置へ送信する
ように実行可能な命令を備えるコンピュータ読取可能媒体を備え、前記バックオフ値は、前記複数の装置が、前記同時送信の受信後、送信前に待機するべき期間を示す、コンピュータ・プログラム製品。
［Ｃ８１］  少なくとも１つのアンテナと、
前記少なくとも１つのアンテナを介して、同時送信を受信するための複数の無線ノードの各々へ制御メッセージを送信するように構成された送信機と、
前記複数の無線ノードにおける前記制御メッセージの受信後に送信された、前記複数の無線ノードの各々からのアクノレッジメント・メッセージを、前記少なくとも１つのアンテナを介して受信するように構成された受信機と
を備え、
前記送信機はまた、前記アクノレッジメント・メッセージに応答して、複数のバックオフ値を有するバックオフ・タイミング・メッセージを前記複数の無線ノードへ送信するように構成され、前記バックオフ値は、前記複数の無線ノードが、前記同時送信の受信後、送信前に待機するべき期間を示す、アクセス・ポイント。
【図１】
0005490920.tif 000002
【図２】
0005490920.tif 000003
【図３】
0005490920.tif 000004
【図４】
0005490920.tif 000005
【図５】
0005490920.tif 000006
【図６】
0005490920.tif 000007
【図７】
0005490920.tif 000008
【図７Ａ】
0005490920.tif 000009
【図８】
0005490920.tif 000010
【図８Ａ】
0005490920.tif 000011
【図９】
0005490920.tif 000012
【図９Ａ】
0005490920.tif 000013